(57)【特許請求の範囲】
【請求項１】
筐体に前後方向へ直線移動可能に設けられた引出体と、
前記引出体の前面に下方側を回転中心として前方へ揺動可能に設けられた前板と、
前記前板と連結され前記前板の前方への揺動により前方へ移動する連結部材と、
前記引出体に前後方向へ移動可能に設けられた押圧部材と、
前記連結部材の前方への移動を、前記押圧部材の後方への移動に変換する移動方向変換手段と、
前記筐体に設けられ前記押圧部材の後方への移動を阻止するストッパーと、
前記引出体の前面に設けられ、前記連結部材の前方への移動と前記前板の後方への揺動に対して緩衝する緩衝手段と、
を有する引出体移動補助装置。
【請求項２】
前記緩衝手段は、前記引出体の前面に固定されたダンパー支持部材と、
該ダンパー支持部材によって前後方向へ移動可能に設けられ、一方の端部が前記移動方向変換手段に当接し、他方の端部が前記前板に当接する一つのピストンダンパーと、
を備える請求項１に記載の引出体移動補助装置。
【発明の詳細な説明】
【技術分野】
【０００１】
本発明は、筐体から引出体を引出す際に引出体の移動を補助する引出体移動補助装置に関するものである。
【背景技術】
【０００２】
従来、筐体から引出体を引出す際に引出体の移動を補助する引出体移動補助装置としては、例えば、特許文献１がある。この従来技術では、ミドルレールに回転可能に固定された歯車が、ミドルレールの上下に設けられたアッパーレールの上ラックと、ロアレールの下ラックとに噛合っている。このため、引出体の引き出し動作に応じて、アッパーレールとロアレールとが互いに逆方向に移動することで、引出体をスムーズに筐体から引出すことができるようになっている。
【先行技術文献】
【特許文献】
【０００３】
【特許文献１】実用新案登録第３１５１３５７号
【発明の概要】
【発明が解決しようとする課題】
【０００４】
しかしながら、近年、引出体の前面に設けられ下方側を回転中心として前方へ揺動可能とされた前板を備えた引出体を有するキッチンキャビネットが使用されるようになっている。このため、前板を前方へ開放する揺動と、引出体を前方へ引出す水平移動が必要になり、引出体の操作性が良くない。
【０００５】
本発明は上記事実を考慮し、引出体の操作性を向上することができる引出体移動補助装置を得ることを課題とする。
【課題を解決するための手段】
【０００６】
請求項１に記載の発明の引出体移動補助装置は、筐体に前後方向へ直線移動可能に設けられた引出体と、前記引出体の前面に下方側を回転中心として前方へ揺動可能に設けられた前板と、前記前板と連結され前記前板の前方への揺動により前方へ移動する連結部材と、前記引出体に前後方向へ移動可能に設けられた押圧部材と、前記連結部材の前方への移動を、前記押圧部材の後方への移動に変換する移動方向変換手段と、前記筐体に設けられ前記押圧部材の後方への移動を阻止するストッパーと、前記引出体の前面に設けられ、前記連結部材の前方への移動と前記前板の後方への揺動に対して緩衝する緩衝手段と、を有する。
【０００７】
請求項１に記載の発明の引出体移動補助装置では、筐体に前後方向へ直線移動可能に設けられた引出体の前面に設けられた前板が、下方側を回転中心として前方へ揺動すると、前板と連結された連結部材が前方へ移動する。この連結部材の前方への移動が移動方向変換手段によって、引出体に前後方向へ移動可能に設けられた押圧部材を後方へ移動するが、筐体に設けられたストッパーが押圧部材の後方への移動を阻止する。このため、前板の揺動操作にともなって、押圧部材がストッパーを後方へ押圧することで、引出体が前方へ移動する。また、引出体の前面に設けられた緩衝手段が、前板の前方への揺動にともなう連結部材の前方への移動と、前板の後方への揺動との双方に対して緩衝する。このため、前板の開閉時の衝撃を緩和できる。この結果、引出体の操作性を向上することができる。
【０００８】
請求項２に記載の発明は請求項１記載の引出体移動補助装置において、前記緩衝手段は、前記引出体の前面に固定されたダンパー支持部材と、該ダンパー支持部材によって前後方向へ移動可能に設けられ、一方の端部が前記移動方向変換手段に当接し、他方の端部が前記前板に当接する一つのピストンダンパーと、を備える。
【０００９】
請求項２に記載の発明の引出体移動補助装置では、一方の端部が移動方向変換手段に当接し、他方の端部が前板に当接する一つのピストンダンパーを、引出体の前面に固定されたダンパー支持部材によって前後方向へ移動可能に設ける。このため、一つのピストンダンパーによって、前板の開閉時の衝撃を緩和できる。
【発明の効果】
【００１０】
請求項１に記載の本発明の引出体移動補助装置は、上記構成としたので、引出体の操作性を向上することができる。
【００１１】
請求項２に記載の本発明の引出体移動補助装置は、上記構成としたので、一つのピストンダンパーによって、前板の開閉時の衝撃を緩和できる。
【図面の簡単な説明】
【００１２】
【図１】本発明の一実施形態に係る引出体移動補助装置の鏡板閉状態を示す側断面図である。
【図２】本発明の一実施形態に係る引出体移動補助装置の鏡板閉状態と鏡板開状態の間の状態を示す側断面図である。
【図３】本発明の一実施形態に係る引出体移動補助装置の鏡板開状態を示す側断面図である。
【図４】図５の４−４断面線に沿った概略断面図である。
【図５】本発明の一実施形態に係る引出体移動補助装置が適用されたキッチンキャビネットの要部を示す斜視図である。
【図６】本発明の他の実施形態に係る引出体移動補助装置が適用されたキッチンキャビネットの要部を示す分解斜視図である。
【図７】図６に示すキッチンキャビネットの側面図である。
【図８】図７の８−８断面線に沿った断面図である。
【発明を実施するための形態】
【００１３】
本発明の一実施形態に係る引出体移動補助装置について図１〜図５に従って説明する。
なお、図中矢印ＦＲは本実施形態の引出体移動補助装置が適用されたキッチンキャビネットの前方方向を、矢印ＵＰはキッチンキャビネットの上方方向を示す。
【００１４】
図５に示すように、本実施形態の引出体移動補助装置が取付けられたキッチンキャビネット１０は、筐体であるキャビネット本体１２を備えている。このキャビネット本体１２は、背板（図示省略）と左右の側板１２Ａとによってコの字型に覆われた内部空間を備えており、背板（図示省略）に対向する前面が開口部１２Ｂとなっている。
【００１５】
本実施形態の引出体としての引出し１４は、キッチンキャビネット１０のキャビネット本体１２の内部に収容されている。また、引出し１４の左右の側壁部１４Ａと、キャビネット本体１２の左右の内側面とには、図示を省略したスライド部材とレール部材とがそれぞれ設けられている。従って、引出し１４は、キャビネット本体１２に対してキッチンキャビネット１０の前方となる引出し方向（図５の矢印Ａ方向）と、キッチンキャビネット１０の後方となる収納方向（図５の矢印Ｂ方向）に水平移動するようになっている。
【００１６】
なお、スライド部材及びレール部材は、周知の構成であるため詳細な説明は省略するが、所定の範囲内で前後に引出し１４を円滑にスライドさせて、且つ、引出し１４を全開まで引き出したときにも支持可能な構成である。
【００１７】
引出し１４の後端部には図示を省略したクローザが設けられており、引出し１４を閉止させる方向（図５の矢印Ｂ方向）へ付勢している。このため、引出し１４を引き出すときには、この付勢力（閉止力）に抗する方向へ荷重（引き出し力）を付与しなければならないようになっている。
【００１８】
なお、クローザは、周知の構成であるため詳細な説明は省略するが、引出し１４を閉止位置から所定範囲内で閉止させる方向へ付勢するようになっている。
【００１９】
図１に示すように、引出し１４の前板としての鏡板１６は、引出し１４の前面１４Ｂに設けられている。鏡板１６は引出し１４の前面１４Ｂに沿って鉛直方向に設けられた板材で構成されており、裏面１６Ａの下端部１６Ｂが、引出し１４の前面１４Ｂの下端部１４Ｃにヒンジ１８を介して連結されている。従って、鏡板１６はヒンジ１８を回転中心にして、図１に示す閉位置から図３に示す開位置へ移動する開方向（図１の矢印Ｃ方向）へ揺動可能であると共に、図３に示す開位置から図１に示す閉位置へ移動する閉方向（図１の矢印Ｄ方向）へ揺動可能となっている。
【００２０】
また、鏡板１６の裏面１６Ａには包丁等を収納するケース類（図示を省略）が取付けられている。従って、鏡板１６を図１に示す閉位置から図３に示す開位置とすることで、例えば、裏面１６Ａに収納された包丁を容易に取り出すことができるようになっている。
【００２１】
図１に示すように、引出し１４の側壁部１４Ａの上部には連結部材としてのステー２４が前後方向へ移動可能に設けられている。
【００２２】
また、引出し１４の側壁部１４Ａにおけるステー２４の後方には移動方向変換手段２６が設けられている。移動方向変換手段２６は、引出し１４の側壁部１４Ａに前後方向に沿って直線状に形成された上ガイド３３に沿って前後方向へ水平移動可能に取付けられた上ラック３４と、引出し１４の側壁部１４Ａにおける上ガイド３３の下方に前後方向に沿って直線状に形成された下ガイド４１に沿って前後方向へ水平移動可能に取付けられた下ラック４２と、を備えている。また、移動方向変換手段２６は、引出し１４の側壁部１４Ａにおける上ガイド３３と下ガイド４１との間に立設された回転軸３９に回転可能に取付けられ、上ラック３４と下ラック４２とに噛合う回転ギア４０を備えている。
【００２３】
図２に示すように、ステー２４の前端部２４Ａは、鏡板１６の裏面１６Ａの上下方向中間部１６Ｃにブラケット３０によって固定された軸３２に上下方向へ回転可能に軸支されている。一方、ステー２４の後端部２４Ｂは、上ラック３４の前端部３４Ａに軸３５によって上下方向へ回転可能に軸支されている。
【００２４】
従って、鏡板１６が前方（図２の矢印Ｃ方向）へ揺動することにより、ステー２４を介して上ラック３４が前方（図２の矢印Ａ方向）へ水平移動するようになっている。
【００２５】
また、回転ギア４０は、上ラック３４と噛合う第１歯部４０Ａと、下ラック４２と噛合う第２歯部４０Ｂとを備えており、第２歯部４０Ｂの歯数Ｎ２が第１歯部４０Ａの歯数Ｎ１より多くなっている。従って、上ラック３４が前方（図２の矢印Ａ方向）へ水平移動すると、回転ギア４０が回転し、下ラック４２が後方（図２の矢印Ｂ方向）へ水平移動するようになっている。このとき、回転ギア４０の第１歯部４０Ａと第２歯部４０Ｂとのギア比（Ｎ２／Ｎ１）によって、上ラック３４の移動距離（鏡板１６の引出し量）に比べて下ラック４２の移動距離が長くなる（Ｎ２／Ｎ１倍）。
【００２６】
下ラック４２には押圧部材としての押圧バー２８が固定されており、押圧バー２８は下ラック４２と一体となって前後方向へ水平移動するようになっている。
【００２７】
図５に示すように、押圧バー２８は引出し１４の側壁部１４Ａに形成された前後方向に沿ったスリット４７を通ってキャビネット本体１２の側板１２Ａ側に突出している。また、図４に示すように、押圧バー２８はキャビネット本体１２の側板１２Ａに固定されたストッパー４６の前面４６Ａに当接している。なお、ストッパー４６はビス等の固定部材４８によって、キャビネット本体１２の側板１２Ａの内側面に固定されている。
【００２８】
従って、鏡板１６の前方（図１の矢印Ｃ方向）への揺動により、ステー２４を介して上ラック３４が前方（図１の矢印Ａ方向）へ水平移動すると、回転ギア４０が反時計回転方向（図１の矢印Ｆ方向）へ回転し、下ラック４２と押圧バー２８が後方（図２の矢印Ｂ方向）へ水平移動するようになっている。このため、押圧バー２８がストッパー４６を後方（図１の矢印Ｂ方向）へ押圧し、引出し１４がキャビネット本体１２に対して前方（図４の矢印Ａ方向）へ蹴り出されるようになっている。
【００２９】
図１に示すように、上ラック３４の前端部３４Ａからは下方へ向かって凸部３４Ｂが形成されている。
【００３０】
図２に示すように、緩衝手段５０はダンパー支持部材としての円筒状のケース５２とピストンダンパー５４を備えている。また、ケース５２は引出し１４の前面１４Ｂに軸方向をキッチンキャビネットの前後方向に向けて固定されており、ケース５２はピストンダンパー５４を鏡板１６を開閉した際の衝撃の作用方向（キッチンキャビネットの前後方向）へ移動可能に収納している。
【００３１】
ピストンダンパー５４は、円筒形状とされたピストンシリンダー５６と、このピストンシリンダー５６の内部に移動可能に挿入されたピストン（図示省略）と、このピストンに一方の端部が連結されピストンロッド５８と、ピストンシリンダー５６の内部に設けられたスプリング（図示省略）とを備えている。また、スプリングはピストンをピストンロッド５８がピストンシリンダー５６から突出する方向へ付勢している。なお、ピストンシリンダー５６の内部にはダンパーオイル等が充填されていてもよく、ピストンシリンダー５６とピストンロッド５８とが圧縮方向へ相対移動することで衝撃を緩和するようになっている。なお、ピストンダンパー５４の構成は周知のため、詳細な説明は省略する。
【００３２】
また、ケース５２に対してピストンシリンダー５６が前方へ移動した場合に、ピストンシリンダー５６の段差部６０が、ケース５２の前端部５２Ａに当接し、ピストンシリンダー５６の前方への移動が停止するようになっている。また、ピストンシリンダー５６の前方への移動が停止する停止状態で、ピストンシリンダー５６の前端部５６Ａがケース５２の前端部５２Ａから突出するようになっている。
【００３３】
一方、ピストンロッド５８の外周部の軸方向中間部には、円盤状の鍔部６４が形成されている。また、ピストンロッド５８の鍔部６４より後方の部位は、スライダー６６となっている。スライダー６６の中間部は、ケース５２の後端部５２Ｂに形成した貫通孔（図示省略）を貫通している。
【００３４】
また、ピストンロッド５８の鍔部６４は、ケース５２に対してピストンロッド５８が後方（図２の矢印Ｂ方向）へ移動した場合に、ケース５２の後端部５２Ｂに当接することで、ピストンロッド５８の後方への移動が停止するようになっている。また、この停止状態で、ピストンロッド５８のスライダー６６がケース５２の後端部５２Ｂから所定長さ突出するようになっている。
【００３５】
従って、鏡板１６が、図３に示す完全に開いた状態（開状態）になる直前に、上ラック３４の凸部３４Ｂがピストンロッド５８のスライダー６６の後端部６６Ａに当接し、ケース５２に対してピストンシリンダー５６が前方へ移動することで、ピストンシリンダー５６の段差部６０が、ケース５２の前端部５２Ａに当接し、停止するようになっている。
【００３６】
このため、ピストンシリンダー５６に対してピストンロッド５８が圧縮方向（図３の矢印Ａ方向）に移動して鏡板１６の開操作時の衝撃を緩和するようになっている。
【００３７】
一方、鏡板１６が、図１に示す完全に閉じた状態（閉状態）になる直前に、鏡板１６の裏面１６Ａがピストンシリンダー５６の前端部５６Ａに当接し、ケース５２に対してピストンシリンダー５６が後方へ移動することで、ピストンロッド５８の鍔部６４が、ケース５２の後端部５２Ｂに当接し、停止するようになっている。
【００３８】
このため、ピストンロッド５８に対してピストンシリンダー５６が圧縮方向に（図１の矢印Ｂ方向）移動して鏡板１６の閉操作時の衝撃を緩和するようになっている。
【００３９】
（作用・効果）
次に、本発明の一実施形態の作用及び効果について説明する。
図１に示すように、鏡板１６の閉状態では、鏡板１６がピストンシリンダー５６の前端部５６Ａを後方へ押圧しており、引出し１４の前面１４Ｂに固定されたケース５２に対して、ピストンダンパー５４のピストンシリンダー５６が後方へ移動しており、ピストンロッド５８のスライダー６６がケース５２の後端部から所定長さ突出している。
【００４０】
この鏡板１６の閉状態から鏡板１６を開くと、鏡板１６の前方（図１及び図２の矢印Ｃ方向）への揺動により、ステー２４を介して移動方向変換手段２６の上ラック３４が前方（図２の矢印Ａ方向）へ水平移動する。また、上ラック３４が前方（図２の矢印Ａ方向）へ移動すると、回転ギア４０が回転し、下ラック４２が後方（図２の矢印Ｂ方向）へ水平移動する。このとき、回転ギア４０の第１歯部４０Ａと第２歯部４０Ｂとのギア比（Ｎ２／Ｎ１）によって、鏡板１６の引出し量（上ラック３４の移動距離）に比べて下ラック４２の移動距離が長くなる（Ｎ２／Ｎ１倍）。
【００４１】
また、下ラック４２に固定された押圧バー２８が、下ラック４２と一体となって後方（図２の矢印Ｂ方向）へ水平移動しようとして、キャビネット本体１２の側板１２Ａに固定されたストッパー４６を後方（図４の矢印Ｂ方向）へ押圧する。この結果、引出し１４がキャビネット本体１２に対して前方（図４の矢印Ａ方向）へ蹴り出される。
【００４２】
従って、本実施形態では、鏡板１６を前方（図１及び図２の矢印Ｃ方向）へ揺動することにより、引出し１４を閉止させる方向へ付勢しているクローザの付勢力（閉止力）に抗して、引出し１４を容易に引き出すことができる。
【００４３】
また、本実施形態では、鏡板１６が、図３に示す完全に開いた状態（開状態）になる直前に、上ラック３４の凸部３４Ｂがピストンロッド５８のスライダー６６の後端部６６Ａに当接し、ケース５２に対してピストンシリンダー５６が前方へ移動することで、ピストンシリンダー５６の段差部６０が、ケース５２のシリンダーストッパー当接部（図示省略）に当接し、停止する。このため、ピストンシリンダー５６に対してピストンロッド５８が圧縮方向（図３の矢印Ａ方向）に移動して鏡板１６の開操作時の衝撃を緩和する。
【００４４】
一方、鏡板１６を閉じる場合には、鏡板１６の後方（図２及び図３の矢印Ｄ方向）への揺動により、ステー２４を介して上ラック３４が後方（図２の矢印Ｂ方向）へ水平移動する。また、上ラック３４が後方（図２の矢印Ｂ方向）へ移動すると、回転ギア４０が時計回転方向（図１の矢印Ｅ方向）へ回転し、下ラック４２が前方（図２の矢印Ａ方向）へ水平移動する。このとき、回転ギア４０の第１歯部４０Ａと第２歯部４０Ｂとのギア比（Ｎ２／Ｎ１）によって、鏡板１６の引き込み量（上ラック３４の移動距離）に比べて下ラック４２の移動距離が長くなる（Ｎ２／Ｎ１倍）。
【００４５】
また、キャビネット本体１２の側板１２Ａに固定されたストッパー４６に当接する押圧バー２８が、下ラック４２と一体となって前方（図２の矢印Ａ方向）へ水平移動する。このため、押圧バー２８がストッパー４６と干渉しなくなり、引出し１４がキャビネット本体１２に対して後方（図４の矢印Ｂ方向）へ収納可能とる。
【００４６】
また、鏡板１６が、図１に示す完全に閉じた状態（閉状態）になる直前に、鏡板１６がピストンシリンダー５６の前端部５６Ａに当接し、ケース５２に対してピストンシリンダー５６が後方へ移動して、ピストンロッド５８の鍔部６４が、ケース５２の後端部５２Ｂに当接し停止する。このため、ピストンロッド５８に対してピストンシリンダー５６が圧縮方向（図１の矢印Ｂ方向）に移動して鏡板１６の閉操作時の衝撃を緩和する。この結果、鏡板１６の開閉時の衝撃を緩和できる。
【００４７】
以上のように本実施形態では、引出し１４の引出し時の操作性を向上することができると共に引出し１４の収納時の操作性も向上することができる。
【００４８】
また、本実施形態では、一方の端部が前端部５６Ａとされ、他方の端部が後端部６６Ａとされたピストンダンパー５４を、引出し１４の前面１４Ｂに固定されたケース５２内に前後方向へ移動可能に設けた。このため、一つのピストンダンパー５４によって、上ラック３４の前方への移動と、鏡板１６の後方への揺動との双方に対して緩衝することができ、鏡板１６の開閉時の衝撃を緩和できる。
【００４９】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。
【００５０】
例えば、緩衝手段５０のピストンダンパー５４の引出し１４への取付けを図６〜図８に示すような構成としてもよい。
【００５１】
図６に示すように、本実施形態では、引出し１４の前面１４Ｂがフロントカバー７０で覆われている。このフロントカバー７０は、左右の側壁７０Ａの内側面に設けた係合爪７２が、引出し１４に形成された係合孔７４に係合することによって、引出し１４に取付けられている。また、フロントカバー７０の一方の側壁７０Ａの内側面には、ダンパー支持部材としてのダンパー支持部７６が形成されており、このダンパー支持部７６はピストンダンパー５４のピストンシリンダー５６の外周部を前後方向へ移動可能に支持している。
【００５２】
フロントカバー７０のダンパー支持部７６に隣接する引出し１４の側壁部１４Ａには、切欠７８が形成されており、この切欠７８にはダンパー支持部材としてのダンパーストパー８０が挿入されている。ダンパーストパー８０は、切欠７８を閉塞する閉塞部８０Ａと、ピストンダンパー５４のピストンシリンダー５６の外周部を前後方向へ移動可能に支持するダンパー支持部８０Ｂと、を備えている。
【００５３】
図８に示すように、ダンパーストパー８０のダンパー支持部８０Ｂは、ピストンシリンダー５６の段差部６０に当接して、ピストンシリンダー５６が前方（矢印ＦＲ方向）へ向け落ちないように支持している。
【００５４】
図７に示すように、ダンパーストパー８０の閉塞部８０Ａには、開口部８２が形成されている。また、図８に示すように、ダンパーストパー８０の開口部８２に治具８４の先端部８４Ａを挿入することで、ダンパーストパー８０を引出し１４から容易に取外すことができるようになっている。
【００５５】
従って、本実施形態では、治具８４によってダンパーストパー８０を引出し１４から取外すことで、ダンパーストパー８０のダンパー支持部８０Ｂがピストンシリンダー５６の段差部６０に当接しなくなる。このため、ピストンダンパー５４を引出し１４から前方（矢印ＦＲ方向）へ引出すことができる。この結果、ピストンダンパー５４を容易に交換することができる。
【００５６】
また、上記実施形態では、本発明の引出体移動補助装置をキッチンキャビネット１０の引出し１４に適用したが、本発明の引出体移動補助装置は机等の引出しにも適用可能である。
【符号の説明】
【００５７】
１０    キッチンキャビネット
１２    キャビネット本体
１４    引出し（引出体）
１６    鏡板（前板）
２４    ステー（連結部材）
２６    移動方向変換手段
２８    押圧バー（押圧部材）
３３    上ガイド
３４    上ラック
４０    回転ギア
４１    下ガイド
４２    下ラック
４６    ストッパー
５０    緩衝手段
５２    ケース（ダンパー支持部材）
５４    ピストンダンパー
５６    ピストンシリンダー
５６Ａ    前端部
５８    ピストンロッド
６６    スライダー
６６Ａ    後端部
７６    ダンパー支持部（ダンパー支持部材）
８０    ダンパーストパー（ダンパー支持部材）
【図１】
0005690089.tif 000002
【図２】
0005690089.tif 000003
【図３】
0005690089.tif 000004
【図４】
0005690089.tif 000005
【図５】
0005690089.tif 000006
【図６】
0005690089.tif 000007
【図７】
0005690089.tif 000008
【図８】
0005690089.tif 000009